(57)【要約】      （修正有）【課題】情報の視認性の低下を抑制しつつ製造コストを低減する。【解決手段】電子時計１００は、回転軸が同じでありそれぞれ第１の情報および第２の情報を表示するための第１の指針１２１および第２の指針１２２の慣性モーメントが同じである。これにより、第１の指針１２１の駆動機構と、第２の指針１２２の駆動機構と、に同じ仕様の部品を用いることが可能になる。また、第１の指針１２１および第２の指針１２２の配色が異なる。これにより、ユーザが第１の指針１２１および第２の指針１２２を容易に区別することができる。【選択図】図１
2020063919.tif 000002
【特許請求の範囲】
【請求項１】
回転軸を中心として回転する第１の指針と、
前記回転軸を中心に回転し、前記第１の指針の慣性モーメントと同じ慣性モーメントを有し、前記第１の指針の配色と異なる配色の第２の指針と、
前記第１の指針の回転を制御することにより第１の情報を表示し、前記第２の指針の回転を制御することにより前記第１の情報と異なる第２の情報を表示する制御部と、
を備えることを特徴とする電子時計。
【請求項２】
前記第１の指針には、前記第１の指針より短い時針が描かれており、
前記第２の指針には、前記第２の指針より短く前記時針より長い分針が描かれており、
前記制御部は、前記第１の指針の回転を制御することにより現在時刻の時を表示し、前記第２の指針の回転を制御することにより現在時刻の分を表示する、
ことを特徴とする請求項１に記載の電子時計。
【請求項３】
前記時針および前記分針はそれぞれ異なる色で描かれていることを特徴とする請求項２に記載の電子時計。
【請求項４】
前記第１の指針の先端には時刻以外の第３の情報を表示するための第１の指示部が設けられており、
前記第２の指針の先端には前記第３の情報と異なる時刻以外の第４の情報を表示するための第２の指示部が設けられており、
前記制御部は、第１の状態において、前記第１の指針の回転を制御することにより現在時刻の時を表示し、前記第２の指針の回転を制御することにより時刻の分を表示し、前記第１の状態と異なる第２の状態において、前記第１の指針の回転を制御することにより前記第３の情報を表示し、前記第２の指針の回転を制御することにより前記第４の情報を表示する、
ことを特徴とする請求項２または３に記載の電子時計。
【請求項５】
前記第１の指針および前記第２の指針は表示板上で回転し、
前記第１の指針のうち前記時針が描かれていない領域の少なくとも一部の色は前記表示板の色と同じ色であり、
前記第２の指針のうち前記分針が描かれていない領域の少なくとも一部の色は前記表示板の色と同じ色である、
ことを特徴とする請求項２〜４のいずれか一つに記載の電子時計。
【請求項６】
前記第１の指針の長さと前記第２の指針の長さが同じであることを特徴とする請求項１〜５のいずれか一つに記載の電子時計。
【請求項７】
前記第１の指針の形状と前記第２の指針の形状が同じであることを特徴とする請求項１〜６のいずれか一つに記載の電子時計。
【請求項８】
前記制御部により制御される第１のモータと、
前記第１のモータの回転を前記第１の指針に伝達する第１の輪列と、
前記制御部により制御され前記第１のモータと同じ仕様の第２のモータと、
前記第２のモータの回転を前記第２の指針に伝達する、前記第１の輪列と同じ仕様の第２の輪列と、
を備えることを特徴とする請求項１〜７のいずれか一つに記載の電子時計。
【発明の詳細な説明】
【技術分野】
【０００１】
この発明は、同じ回転軸を中心に回転する複数の指針を有する電子時計に関する。
【背景技術】
【０００２】
従来、たとえば時針、分針および秒針などの、同じ回転軸を中心に回転する複数の指針を有する時計が知られている。また、現在時刻を表示するための時針および分針を用いてそれぞれ天気予報情報および気圧情報を表示する時計が知られている（たとえば、下記特許文献１参照。）。また、１つの指針を有し、その指針のうち主目盛を指す部分と、その指針のうち補助目盛を指す部分と、が着色により区切られた計器が知られている（たとえば、下記特許文献２参照。）。また、時計の外周に設けた外周車に指針の先端部を固定して指針を駆動する構成が知られている（たとえば、下記特許文献３参照。）。
【先行技術文献】
【特許文献】
【０００３】
【特許文献１】特開平０７−１９１１５３号公報
【特許文献２】実開昭６０−３７８１７号公報
【特許文献３】特開２０１３−０５７５１９号公報
【発明の概要】
【発明が解決しようとする課題】
【０００４】
しかしながら、上述した従来技術では、同じ回転軸を中心に回転する複数の指針によりそれぞれ異なる情報を表示する電子時計について、これらの情報の視認性の低下を抑制しつつ、電子時計の製造コストを低減することができないという問題がある。
【０００５】
たとえば、時針、分針および秒針など同じ回転軸を中心に回転する複数の指針は、それぞれをユーザが区別できるように長さや太さが異なっており、その結果、複数の指針の各駆動に要する力がそれぞれ異なる。したがって、複数の指針を駆動する各駆動機構には、それぞれ異なる仕様の輪列等を設けることを要し、電子時計の部品の種類数が多くなり製造コストが高くなる。
【０００６】
一方で、複数の指針の長さや太さを同じにすると、複数の指針のそれぞれをユーザが区別することが困難になる。たとえば、時針および分針の長さや太さを同じにすると、ユーザは、時針と分針を区別できず、現在時刻の時および分を把握することが困難になる。このように、複数の指針の長さや太さを同じにすると、電子時計の視認性が低下する。
【０００７】
この発明は、上述した従来技術による問題点を解消するため、情報の視認性の低下を抑制しつつ製造コストを低減することができる電子時計を提供することを目的とする。
【課題を解決するための手段】
【０００８】
上述した課題を解決し、目的を達成するため、この発明にかかる電子時計は、回転軸を中心として回転する第１の指針と、前記回転軸を中心に回転し、前記第１の指針の慣性モーメントと同じ慣性モーメントを有し、前記第１の指針の配色と異なる配色の第２の指針と、前記第１の指針の回転を制御することにより第１の情報を表示し、前記第２の指針の回転を制御することにより前記第１の情報と異なる第２の情報を表示する制御部と、を備えることを特徴とする。
【０００９】
これにより、第１の指針の駆動機構と、第２の指針の駆動機構と、に同じ仕様の部品を用いることが可能になる。また、ユーザが第１の指針および第２の指針を容易に区別することができる。
【００１０】
また、この発明にかかる電子時計は、前記第１の指針には、前記第１の指針より短い時針が描かれており、前記第２の指針には、前記第２の指針より短く前記時針より長い分針が描かれており、前記制御部は、前記第１の指針の回転を制御することにより現在時刻の時を表示し、前記第２の指針の回転を制御することにより現在時刻の分を表示することを特徴とする。
【００１１】
また、この発明にかかる電子時計は、前記時針および前記分針がそれぞれ異なる色で描かれていることを特徴とする。
【００１２】
また、この発明にかかる電子時計は、前記第１の指針の先端には時刻以外の第３の情報を表示するための第１の指示部が設けられており、前記第２の指針の先端には前記第３の情報と異なる時刻以外の第４の情報を表示するための第２の指示部が設けられており、前記制御部は、第１の状態において、前記第１の指針の回転を制御することにより現在時刻の時を表示し、前記第２の指針の回転を制御することにより時刻の分を表示し、前記第１の状態と異なる第２の状態において、前記第１の指針の回転を制御することにより前記第３の情報を表示し、前記第２の指針の回転を制御することにより前記第４の情報を表示する、ことを特徴とする。
【００１３】
また、この発明にかかる電子時計は、前記第１の指針および前記第２の指針は表示板上で回転し、前記第１の指針のうち前記時針が描かれていない領域の少なくとも一部の色は前記表示板の色と同じ色であり、前記第２の指針のうち前記分針が描かれていない領域の少なくとも一部の色は、前記表示板の色と同じ色であることを特徴とする。
【００１４】
また、この発明にかかる電子時計は、前記第１の指針の長さと前記第２の指針の長さが同じであることを特徴とする。
【００１５】
また、この発明にかかる電子時計は、前記第１の指針の形状と前記第２の指針の形状が同じであることを特徴とする。
【００１６】
また、この発明にかかる電子時計は、前記制御部により制御される第１のモータと、前記第１のモータの回転を前記第１の指針に伝達する第１の輪列と、前記制御部により制御され前記第１のモータと同じ仕様の第２のモータと、前記第２のモータの回転を前記第２の指針に伝達する、前記第１の輪列と同じ仕様の第２の輪列と、を備えることを特徴とする。
【発明の効果】
【００１７】
この発明の一側面によれば、情報の視認性の低下を抑制しつつ製造コストを低減することができるという効果を奏する。
【図面の簡単な説明】
【００１８】
【図１】図１は、実施の形態にかかる電子時計の外観の一例を示す図である。
【図２】図２は、実施の形態にかかる電子時計の第１の指針および第２の指針の一例を示す図である。
【図３】図３は、実施の形態にかかる第１の指針および第２の指針の駆動機構の一例を示す上面図である。
【図４】図４は、実施の形態にかかる第１の指針および第２の指針の駆動機構の一例を示す断面図である。
【図５】図５は、実施の形態にかかる電子時計のハードウェア構成の一例を示す図である。
【図６】図６は、実施の形態にかかる電子時計の外観の他の一例を示す図である。
【図７】図７は、実施の形態にかかる電子時計の外観の他の一例を示す図である。
【図８】図８は、実施の形態にかかる電子時計の外観の他の一例を示す図である。
【発明を実施するための形態】
【００１９】
以下に図面を参照して、この発明にかかる電子時計の実施の形態を詳細に説明する。
【００２０】
（実施の形態）
（実施の形態にかかる電子時計の外観）
図１は、実施の形態にかかる電子時計の外観の一例を示す図である。図１に示すように、実施の形態にかかる電子時計１００は、外装（時計ケース）である胴内に、文字板（表示板）１１０、第１の指針１２１、第２の指針１２２、秒針１２３およびサブ指針１４０を備える。第１の指針１２１、第２の指針１２２および秒針１２３は、文字板１１０上で回転し、文字板１１０に表記された時刻（たとえば「０」、「１」、「２」、「３」など）や目盛を指示することによって現在時刻を表示する指針である。
【００２１】
現在時刻とは、電子時計１００においてカウントされる、電子時計１００の内部時刻である。現在時刻は、たとえば、ユーザからの操作によって設定される。または、現在時刻は、標準電波やＧＰＳ（Ｇｌｏｂａｌ  Ｐｏｓｉｔｉｏｎｉｎｇ  Ｓｙｓｔｅｍ：全地球測位システム）信号の受信結果に応じて設定されてもよい。
【００２２】
第１の指針１２１および第２の指針１２２は、互いに長さが同じ（慣性モーメントが同じ）であるが、それぞれに時針および分針が描かれていることにより、それぞれ時針および分針としてユーザが用いることができる。この点については後述する（図２参照）。
【００２３】
第１の指針１２１の回転を制御することによって表示される第１の情報の一例は、現在時刻の時（ｈｏｕｒ）である。すなわち、電子時計１００は、第１の指針１２１の指示方向が、現在の時に対応する方向となるように第１の指針１２１の回転を制御することにより、現在の時をユーザに対して表示する。
【００２４】
第２の指針１２２の回転を制御することによって表示される第２の情報の一例は、現在時刻の分（ｍｉｎｕｔｅ）である。すなわち、電子時計１００は、第２の指針１２２の指示方向が、現在の分に対応する方向となるように第２の指針１２２の回転を制御することにより、現在の分をユーザに対して表示する。
【００２５】
サブ指針１４０は、文字板１１０に表記された目盛１５０のいずれかの位置を指示することによって、電子時計１００における計測により得られた計測結果を表示する。たとえば、目盛１５０は電子時計１００の電池残量を示しており、サブ指針１４０は目盛１５０を指示することによって電子時計１００の電池残量の計測値を表示する。
【００２６】
また、サブ指針１４０は、文字板１１０に表記されたモードマーク１６１〜１６３のいずれかを指示することによって電子時計１００の動作モードを表示する。たとえば、モードマーク１６１〜１６３は、電子時計１００のそれぞれ異なる動作モードに対応しており、サブ指針１４０は、モードマーク１６１〜１６３のうち、電子時計１００の現在の動作モードに対応するモードマークを指示する。動作モードの例については後述する。
【００２７】
また、電子時計１００は、胴の側面に、電子時計１００のユーザからの操作（ユーザ操作）を受け付ける操作部１３０として、第１プッシュボタン１３１、第２プッシュボタン１３２およびリューズ１３３を備える。図１に示す例では、第１プッシュボタン１３１は４時側に配置され、第２プッシュボタン１３２は２時側に配置され、リューズ１３３は３時側に配置されている。
【００２８】
電子時計１００の胴には、文字板１１０を覆うようにガラス等の透明材料により形成された風防が取り付けられている。また、電子時計１００の胴における風防の反対側には裏蓋が取り付けられている。以降、電子時計１００において風防が配置される方向（図１における紙面手前方向）を表側、電子時計１００において裏蓋が配置される方向（図１における紙面奥方向）を裏側と呼ぶ。電子時計１００の胴には、電子時計１００のユーザが手首等に巻くことによって電子時計１００を携帯するためのバンド１７０が取り付けられている。
【００２９】
電子時計１００は、太陽などの光エネルギーを動力源とする太陽電池時計であってもよい。たとえば、文字板１１０の裏側には太陽電池が配置され、表側から入光した光により太陽電池において発電がなされる。そのため、文字板１１０はある程度光線を透過する材質で形成される。太陽電池によって発電された電力は二次電池（たとえば図５に示す二次電池５１２）に蓄積され、二次電池に蓄積された電力は電子時計１００の電源として使用される。二次電池は、たとえばリチウムイオン電池等により実現することができる。上述のサブ指針１４０および目盛１５０は、たとえばこの二次電池の残量を表示する。
【００３０】
第１の指針１２１、第２の指針１２２および秒針１２３のそれぞれは、現在時刻とは異なる情報の表示にも用いられてもよい。たとえば、電子時計１００は、時刻表示モード（第１の状態）においては、第１の指針１２１、第２の指針１２２および秒針１２３によりそれぞれ現在時刻の時、分および秒を表示する。
【００３１】
また、電子時計１００は、時刻表示モードとは異なる情報表示モード（第２の状態）においては、第１の指針１２１により時刻以外の第３の情報を表示し、第２の指針１２２により第３の情報と異なる時刻以外の第４の情報を表示してもよい。このとき、電子時計１００は、秒針１２３により現在時刻の秒を表示してもよいし、秒針１２３により他の情報を表示してもよい。
【００３２】
情報表示モードにおいて表示される第３の情報および第４の情報のそれぞれは、たとえば、電子時計１００における測定により得られた計測結果であってもよいし、電子時計１００が外部の通信装置から受信した情報であってもよい。一例としては、電子時計１００による方位の計測結果を第３の情報とし、電子時計１００による高度の計測結果を第４の情報とすることができる。
【００３３】
この場合に、たとえば、電子時計１００は、情報表示モードにおいて、方位の計測に基づいて特定した所定の方位（たとえば北）を第１の指針１２１により指示することにより所定の方位の計測結果を表示する。方位の計測は、電子時計１００の内部に設けられた磁気センサや加速度センサを用いて行うことができる。
【００３４】
また、電子時計１００は、情報表示モードにおいて、高度の計測結果を第２の指針１２２によって表示する。高度の計測は、電子時計１００の内部に設けられたＧＰＳユニットなどの高度センサを用いて行うことができる。たとえば、電子時計１００において計測され得る各高度と、第２の指針１２２によって表示される分と、が所定のルールで対応付けられているとする。この場合に、電子時計１００は、高度の計測結果に対応する分の方向を第２の指針１２２により指示する。
【００３５】
ただし、第３の情報および第４の情報は、方位および高度に限らず各種の情報とすることができる。たとえば、第３の情報および第４の情報のそれぞれは、電子時計１００において測定された温度や湿度などの情報であってもよい。また、第３の情報および第４の情報は、天気予報等の気象情報、外部の通信装置に登録されたユーザのスケジュール情報など、外部の通信装置から電子時計１００が受信した情報としてもよい。
【００３６】
上述の情報表示モードは、たとえばモードマーク１６１〜１６３が対応する各動作モードに含まれる。たとえば、上述の第３の情報および第４の情報を表示する情報表示モードがモードマーク１６３に対応する。この場合に、電子時計１００は、上述の第３の情報および第４の情報を表示する情報表示モードにおいて、サブ指針１４０によりモードマーク１６３を指示する。これにより、ユーザは、電子時計１００が情報表示モードになっていることを把握することができる。
【００３７】
また、電子時計１００は、上述の時刻表示モードにおいて、たとえば、目盛１５０のうち電池残量の計測値に対応する部分をサブ指針１４０により指示することにより、電子時計１００の動作モードが時刻表示モードであることと、電子時計１００の電池残量の計測値と、を表示する。または、上述の時刻表示モードはモードマーク１６１〜１６３が対応する各動作モードに含まれていてもよい。たとえば、上述の時刻表示モードがモードマーク１６１に対応しており、電子時計１００は、上述の時刻表示モードにおいて、サブ指針１４０によりモードマーク１６１を指示してもよい。
【００３８】
電子時計１００における上述の各動作モードの切り替えは、たとえば操作部１３０に対するユーザの操作に応じて行われる。一例としては、第１プッシュボタン１３１が、上述の時刻表示モードおよび情報表示モードを含む動作モードの切り替えに割り当てられており、第１プッシュボタン１３１が押下されるごとに電子時計１００の動作モードが切り替わる。
【００３９】
第１プッシュボタン１３１の色は、サブ指針１４０の色や、文字板１１０のうちのモードマーク１６１、モードマーク１６２およびモードマーク１６３の色と一致または類似する色になっている。一例としては、第１プッシュボタン１３１、サブ指針１４０、モードマーク１６１、モードマーク１６２およびモードマーク１６３は、いずれも黄色になっている。そして、文字板１１０のうちモードマーク１６１、モードマーク１６２およびモードマーク１６３が表記されていない部分や、第２プッシュボタン１３２およびリューズ１３３は、黄色とは異なる色（たとえば黒色）になっている。これにより、ユーザは、サブ指針１４０等により表示される電子時計１００の動作モードを切り替えるための操作部が、操作部１３０のうちの第１プッシュボタン１３１であることを容易に（直感的に）把握することができる。
【００４０】
図１に示した電子時計１００の外観は一例であり、電子時計１００の外観はこれに限らない。たとえば、胴を丸型でなく角型にしてもよいし、リューズ１３３等の有無、数、配置、形状も任意に変更することができる。または、曜日、サマータイムの有無、電波の受信状態など各種の表示を行う指針や、日付表示部等を追加したりしてもよい。また、電子時計１００が腕時計である構成について説明したが、このような構成に限らない。たとえば、電子時計１００は、懐中時計、置き時計、掛け時計などの時計であってもよい。
【００４１】
（実施の形態にかかる電子時計の第１の指針および第２の指針）
図２は、実施の形態にかかる電子時計の第１の指針および第２の指針の一例を示す図である。図１に示した第１の指針１２１および第２の指針１２２について説明する。図２に示す回転軸２０１は、第１の指針１２１および第２の指針１２２の回転軸である。すなわち、第２の指針１２２は、第１の指針１２１の回転軸と同じ回転軸（回転軸２０１）を中心に回転する。換言すると、第１の指針１２１および第２の指針１２２は回転中心が同じである。
【００４２】
第１の指針１２１は、回転軸２０１を始点とする矢印型の形状になっている。具体的には、第１の指針１２１は、回転軸２０１から離れるほど細くなるテーパ形状部と、そのテーパ形状部の先端（回転軸２０１とは反対側の端部）に設けられた矢尻形状部と、により構成される。
【００４３】
第２の指針１２２は、第１の指針１２１と同様に、回転軸２０１を始点とする矢印型の形状になっている。具体的には、第２の指針１２２は、回転軸２０１から離れるほど細くなるテーパ形状部と、そのテーパ形状部の先端（回転軸２０１とは反対側の端部）に設けられた矢尻形状部と、により構成される。
【００４４】
上述のように、第１の指針１２１および第２の指針１２２は、慣性モーメントが互いに同じである。第１の指針１２１および第２の指針１２２の慣性モーメントが同じであるとは、たとえば第１の指針１２１の駆動機構と第２の指針１２２の駆動機構に同じ仕様の部品を用いることが可能になる程度に、第１の指針１２１の慣性モーメントと第２の指針１２２の慣性モーメントとが近いことである。
【００４５】
たとえば、第１の指針１２１および第２の指針１２２の材質および形状（大きさや長さを含む）を同じにすることにより、第１の指針１２１および第２の指針１２２の慣性モーメントが同じになる。ただし、たとえば第１の指針１２１および第２の指針１２２の形状が同じ構成に限らず、たとえば第１の指針１２１および第２の指針１２２の太さ等が異なっていても、第１の指針１２１および第２の指針１２２の質量および重心位置等を調整することにより、第１の指針１２１および第２の指針１２２の慣性モーメントを同じにすることができる。たとえば、第１の指針１２１および第２の指針１２２は細長い形状であるため、第１の指針１２１および第２の指針１２２の長手方向の長さを同じにすることで、第１の指針１２１および第２の指針１２２の慣性モーメントを同じにすることができる。
【００４６】
第１の指針１２１および第２の指針１２２の慣性モーメントが同じであることにより、第１の指針１２１および第２の指針１２２の駆動に要する力が同じになる。これにより、第１の指針１２１の駆動機構と第２の指針１２２の駆動機構とに同じ仕様の部品を用いることが可能になる。このため、電子時計１００における部品の種類数を減らして製造コストを低減することができる。この点については後述する（たとえば図３，図４参照）。
【００４７】
第１の指針１２１や第２の指針１２２などの指針における慣性モーメントは、その指針の長さに大きく依存する。したがって、慣性モーメントが同じである第１の指針１２１および第２の指針１２２は、長さも同じになる。指針の長さとは、指針の長手方向の長さであり、たとえば指針の回転軸から指針の先端（指針が指示する方向の端部）までの長さである。
【００４８】
第１の指針１２１および第２の指針１２２の長さが同じであるとは、たとえば、第１の指針１２１および第２の指針１２２の各長さだけではユーザが第１の指針１２１および第２の指針１２２を区別することが困難な程度に第１の指針１２１および第２の指針１２２の長さが近いことである。図２に示す例では、第１の指針１２１における回転軸２０１から先端までの距離Ｌ１と、第２の指針１２２における回転軸２０１から先端までの距離Ｌ２と、が同じになる（Ｌ１＝Ｌ２）。
【００４９】
通常、ユーザは、時針および分針を主に長さによって区別するため、第１の指針１２１および第２の指針１２２の長さが同じであると、ユーザは第１の指針１２１および第２の指針１２２の区別が困難になり、現在時刻の把握が困難になる。そこで、電子時計１００においては、第１の指針１２１および第２の指針１２２の配色を異ならせることにより第１の指針１２１および第２の指針１２２の区別を容易にする。配色とは、たとえばユーザから視認される部分における色の組み合わせや配置である。
【００５０】
具体的には、第１の指針１２１のうちユーザから視認される部分（たとえば第１の指針１２１のおもて面）には、回転軸２０１から延びた、第１の指針１２１より短い時針２１１が描かれている。時針２１１などの指針を描くとは、たとえば、色の境界線が指針の輪郭の形状となるように、着色等により配色を行うことである。
【００５１】
たとえば、時針２１１は、第１の指針１２１におけるテーパ形状部のうち、回転軸２０１の側の部分を、第１の指針１２１の材料や文字板１１０の色と異なる色に着色することにより描かれている。一例としては、第１の指針１２１の材料の色が黒色であり、文字板１１０の色も黒色である場合に、時針２１１の色は赤色とすることができる。第１の指針１２１に描かれた時針２１１は、第１の指針１２１の回転に応じて回転軸２０１を中心に回転する。
【００５２】
第２の指針１２２のうちユーザから視認される部分（たとえば第２の指針１２２のおもて面）には、回転軸２０１から延びた、第２の指針１２２より短く上述の時針２１１より長い分針２２１が描かれている。分針２２１は、第２の指針１２２におけるテーパ形状部のうち、回転軸２０１の側の部分であって時針２１１の部分よりも長い部分を、第２の指針１２２の材料や文字板１１０の色と異なる色に着色することにより描かれている。一例としては、第２の指針１２２の材料の色が黒色であり、文字板１１０の色も黒色である場合に、分針２２１の色は青色とすることができる。第２の指針１２２に描かれた分針２２１は、第２の指針１２２の回転に応じて回転軸２０１を中心に回転する。
【００５３】
上述のように、第１の指針１２１に描かれた時針２１１よりも、第２の指針１２２に描かれた分針２２１を長くする。これにより、第１の指針１２１および第２の指針１２２の長さが同じであっても、第１の指針１２１および第２の指針１２２のユーザによる区別が容易になる。このため、第１の指針１２１の指示方向が現在時刻の時を示しており、第２の指針１２２の指示方向が現在時刻の分を示していることをユーザが容易に把握することができる。
【００５４】
このように、第１の指針１２１および第２の指針１２２の慣性モーメントを同じにすることにより、電子時計１００における部品の種類数を減らして製造コストを低減することができる。そして、第１の指針１２１および第２の指針１２２の配色を異ならせることにより、第１の指針１２１および第２の指針１２２のユーザによる区別が困難になることを抑制することができる。具体的には、第１の指針１２１に時針２１１が描かれており、第２の指針１２２に分針２２１が描かれていることにより、第１の指針１２１および第２の指針１２２がそれぞれ時針および分針であることをユーザが把握することができる。
【００５５】
また、時針２１１および分針２２１がそれぞれ異なる色（たとえば赤色および青色）で描かれていることにより、第１の指針１２１および第２の指針１２２のユーザによる区別がより容易になる。ただし、時針２１１および分針２２１は同じ色で描かれていてもよい。この場合も、時針２１１および分針２２１における色の配置（たとえば長さ）が異なることにより、ユーザは第１の指針１２１および第２の指針１２２をそれぞれ容易に区別することができる。
【００５６】
第１の指針１２１における上述の矢尻形状部は、時刻以外の上述の第３の情報を表示するための第１の指示部２１２になっている。図２に示す例では、第１の指示部２１２は時針２１１と同じ色に着色（たとえば赤色）されているが、第１の指示部２１２は時針２１１と異なる色に着色されていてもよいし、第１の指示部２１２は着色されていなくてもよい。
【００５７】
第２の指針１２２における上述の矢尻形状部は、第３の情報と異なる時刻以外の上述の第４の情報を表示するための第２の指示部２２２になっている。図２に示す例では、第２の指示部２２２は分針２２１と同じ色（たとえば青色）に着色されているが、第２の指示部２２２は分針２２１と異なる色に着色されていてもよいし、第２の指示部２２２は着色されていなくてもよい。
【００５８】
電子時計１００は、上述の第３の情報および第４の情報を表示する情報表示モードにおいて、第１の指針１２１の回転を制御することで第１の指示部２１２により第３の情報を表示し、第２の指針１２２の回転を制御することで第２の指示部２２２により第４の情報を表示する。この状態において、ユーザは、第１の指示部２１２の指示方向により第３の情報を把握し、第２の指示部２２２の指示方向により第４の情報を把握する。
【００５９】
上述のように、第１の指針１２１および第２の指針１２２の長さは同じである。また、第１の指示部２１２および第２の指示部２２２はそれぞれ第１の指針１２１および第２の指針１２２の先端に設けられている。したがって、第１の指示部２１２および第２の指示部２２２は、共通の回転軸２０１を中心とする同一の円周上を移動する。
【００６０】
すなわち、電子時計１００によれば、互いに長さが異なることにより区別が容易な時針２１１および分針２２１と、同一の円周上を移動することにより見栄えのよい第１の指示部２１２および第２の指示部２２２と、を第１の指針１２１および第２の指針１２２により実現することができる。このため、上述のように電子時計１００の製造コストを低減しつつ、電子時計１００の外観品質の向上を図ることができる。
【００６１】
第１の指針１２１のうち、時針２１１と第１の指示部２１２との間の中間部２１３（時針２１１および第１の指示部２１２が描かれていない領域）のうちユーザから視認される部分は、文字板１１０のうちユーザから視認される部分の色と同じ色（たとえば黒色）になっている。中間部２１３のうちユーザから視認される部分とは、たとえば中間部２１３のおもて面である。文字板１１０のうちユーザから視認される部分とは、上述の風防を介してユーザから見える文字板１１０の部分であり、具体的には文字板１１０のおもて面である。これにより、ユーザからは中間部２１３が文字板１１０と一体化して見えるため、ユーザに対して、第１の指針１２１に描かれた時針２１１を時針として違和感なく認識させることができる。このため、上述のように電子時計１００の製造コストを低減しつつ、電子時計１００の外観品質の向上を図ることができる。
【００６２】
同様に、第２の指針１２２のうち、分針２２１と第２の指示部２２２との間の中間部２２３（分針２２１および第２の指示部２２２が描かれていない領域）のうちユーザから視認される部分は、文字板１１０のうちユーザから視認される部分の色と同じ色（たとえば黒色）になっている。中間部２２３のうちユーザから視認される部分とは、たとえば中間部２２３のおもて面である。これにより、ユーザからは中間部２２３が文字板１１０と一体化して見えるため、ユーザに対して、第２の指針１２２に描かれた分針２２１を分針として違和感なく認識させることができる。このため、上述のように電子時計１００の製造コストを低減しつつ、電子時計１００の外観品質の向上を図ることができる。
【００６３】
また、中間部２１３，２２３のそれぞれは、透明であってもよい。これにより、中間部２１３，２２３のそれぞれを文字板１１０と同じ色とする場合と同様に、ユーザから中間部２１３，２２３が文字板１１０と一体化して見えるようにすることができる。また、中間部２１３，２２３を透明にすることにより、文字板１１０に表示された文字や記号などが中間部２１３，２２３によって遮られてユーザから見えないという状態を回避することができる。
【００６４】
ただし、中間部２１３のすべてが文字板１１０と同じ色または透明である構成に限らない。すなわち、中間部２１３の一部が、文字板１１０と同じ色ではなく透明でもない構成としてもよい。同様に、中間部２２３のすべてが文字板１１０と同じ色または透明である構成に限らない。すなわち、中間部２２３の一部が、文字板１１０と同じ色ではなく透明でもない構成としてもよい。
【００６５】
上述した第１の指針１２１および第２の指針１２２における各部品の色は、部品に対する着色により実現される色であってもよいし、部品の素材（たとえば金属や樹脂）自体の色であってもよい。
【００６６】
（実施の形態にかかる第１の指針および第２の指針の駆動機構）
図３は、実施の形態にかかる第１の指針および第２の指針の駆動機構の一例を示す上面図である。図４は、実施の形態にかかる第１の指針および第２の指針の駆動機構の一例を示す断面図である。ステップモータ（第１のモータ）３１１、歯車３１２〜３１５（第１の輪列）および筒車３１６は、第１の指針１２１の駆動機構である。ステップモータ（第２のモータ）３２１、歯車３２２〜３２５（第２の輪列）および筒車３２６は、第２の指針１２２の駆動機構である。
【００６７】
ステップモータ３１１は、入力された駆動信号により回転するロータ３１１ａを有する。歯車３１２〜３１５は、ロータ３１１ａの回転を減速しながら筒車３１６に伝達する輪列である。筒車３１６には、筒車３１６の回転の径方向に第１の指針１２１が取り付けられており、筒車３１６の回転に応じて第１の指針１２１が回転する。これにより、ロータ３１１ａの回転に応じて第１の指針１２１が回転する。
【００６８】
ステップモータ３２１は、入力された駆動信号により回転するロータ３２１ａを有する。歯車３２２〜３２５は、ロータ３２１ａの回転を減速しながら筒車３２６に伝達する輪列である。筒車３２６には、筒車３２６の回転の径方向に第２の指針１２２が取り付けられており、筒車３２６の回転に応じて第２の指針１２２が回転する。これにより、ロータ３２１ａの回転に応じて第２の指針１２２が回転する。
【００６９】
上述のように、第１の指針１２１および第２の指針１２２は慣性モーメントが同じである。ここで、慣性モーメントは、上述のように、ある軸の周りに回転運動する物体が同じ回転運動を保ち続けようとする回転の慣性の大きさを表す量（物体の回転しにくさ）である。そして、第１の指針１２１および第２の指針１２２を駆動する力は、モータの能力と輪列の減速比で決まる。
【００７０】
したがって、第１の指針１２１および第２の指針１２２の慣性モーメントが同じであることにより、第１の指針１２１および第２の指針１２２を駆動するためのモータの能力と輪列の減速比を同じにすることができる。これにより、第１の指針１２１の駆動機構と、第２の指針１２２の駆動機構と、に同じ仕様の部品を用いることが可能になる。
【００７１】
図３，図４に示す例では、ステップモータ３１１，３２１が同じ仕様の部品であり、歯車３１２，３２２が同じ仕様の部品であり、歯車３１３，３２３が同じ仕様の部品であり、歯車３１４，３２４が同じ仕様の部品である。このため、電子時計１００における部品の種類数を減らすことが可能になり、電子時計１００の製造コストの抑制を図ることができる。ステップモータ３１１，３２１の仕様は、たとえばトルクや回転数である。歯車３１２〜３１５，３２２〜３２５の仕様は、直径、歯の形状、歯のピッチなどである。
【００７２】
第１の指針１２１の駆動機構と、第２の指針１２２の駆動機構と、に同じ仕様の部品を用いる構成について説明したが、第１の指針１２１の駆動機構と、第２の指針１２２の駆動機構と、の共用化を行うことも可能である。たとえば、ステップモータ３１１，３２１に代えて１個のステップモータを設け、その１個のステップモータのロータの回転を、歯車３１２〜３１５および歯車３２２〜３２５がそれぞれ筒車３１６および筒車３２６に伝達する構成としてもよい。このように、第２の指針１２２の駆動機構のステップモータと、第２の指針１２２の駆動機構のステップモータと、を共用化することにより、電子時計１００の部品数の低減を図ることができる。
【００７３】
さらに、歯車３１２〜３１５および歯車３２２〜３２５の一部の共用化を行うことも可能である。一例としては、歯車３１２および歯車３２２に変えて１個の歯車を設け、その１個の歯車が、上記の１個のステップモータの回転を歯車３１３〜３１５および歯車３２３〜３２５のそれぞれに伝達する構成としてもよい。また、歯車３１２および歯車３２２に限らず、歯車３１２〜３１５および歯車３２２〜３２５の他の歯車の共用化を行うことも可能である。このように、第２の指針１２２の駆動機構の歯車と、第２の指針１２２の駆動機構の歯車と、を共用化することにより、電子時計１００の部品数の低減を図ることができる。
【００７４】
（実施の形態にかかる電子時計のハードウェア構成）
図５は、実施の形態にかかる電子時計のハードウェア構成の一例を示す図である。図５において、図１に示した部分と同様の部分については同一の符号を付して説明を省略する。図５に示すように、実施の形態にかかる電子時計１００は、操作部１３０と、太陽電池５１１と、二次電池５１２と、制御回路５２０と、駆動機構５３０と、表示装置５４０と、通信部５５０と、により実現される。
【００７５】
太陽電池５１１は、たとえば図１に示した文字板１１０の裏側に配置されている。そして、太陽電池５１１は、電子時計１００に対して照射される太陽光などの外光によって発電し、発電した電力を二次電池５１２に供給する。二次電池５１２は、太陽電池５１１によって発電された電力を蓄積する。そして、二次電池５１２は、蓄積した電力を、制御回路５２０などの電子時計１００の各回路に対して供給する。二次電池５１２は、たとえばリチウムイオン電池等により実現することができる。
【００７６】
制御回路５２０は、ＲＯＭ（Ｒｅａｄ  Ｏｎｌｙ  Ｍｅｍｏｒｙ）５２１と、ＲＡＭ（Ｒａｎｄｏｍ  Ａｃｃｅｓｓ  Ｍｅｍｏｒｙ）５２２と、ＲＴＣ（Ｒｅａｌ  Ｔｉｍｅ  Ｃｌｏｃｋ）５２３と、計測部５２４と、演算部（制御部）５２５と、モータ駆動回路５２６と、を含む。制御回路５２０は、たとえばマイクロコンピュータ等の情報処理装置により実現することができる。
【００７７】
ＲＯＭ５２１は、電子時計１００を動作させる各種のプログラムやデータを記憶する補助メモリである。ＲＯＭ５２１は、たとえば磁気ディスク、フラッシュメモリなどの不揮発性メモリである。ＲＡＭ５２２は、演算部５２５のワークエリアとして使用され、演算部５２５の処理対象となるデータが書き込まれるメインメモリである。
【００７８】
ＲＴＣ５２３は、演算部５２５における計時に使用されるクロック信号を供給する。たとえば、ＲＴＣ５２３は、電子時計１００が備える水晶振動子を発振させてクロック信号を生成し、生成したクロック信号を基準信号として演算部５２５へ供給する。
【００７９】
計測部５２４は、電子時計１００において計測可能な物理量を計測し、計測により得られた計測値を演算部５２５へ出力する。計測部５２４による計測対象の物理量には、たとえば二次電池５１２における電池残量が含まれる。この場合に、計測部５２４による電池残量の計測は、たとえば二次電池５１２の出力電圧を検出することにより行うことができる。ただし、電池残量の計測方法は、これに限らず各種の計測方法とすることができる。
【００８０】
また、計測部５２４による計測対象の物理量には、上述の方位、高度、温度、湿度など、モードマーク１６１、モードマーク１６２およびモードマーク１６３が示すモードにおいて計測値が表示される物理量であってもよい。たとえば、計測部５２４による計測対象の物理量には、二次電池５１２における電池残量と、上述の方位および高度と、が含まれる。この場合に、計測部５２４は、二次電池５１２における電池残量を計測する回路、方位を計測する回路および高度を計測する回路により実現することができる。
【００８１】
演算部５２５は、電子時計１００の全体の制御を司る。たとえば、演算部５２５は、ＲＯＭ５２１に記憶されたプログラムをＲＡＭ５２２にロードして実行することにより各種の制御を行う。たとえば、演算部５２５は、上述の時刻表示モードにおいて、ＲＴＣ５２３から供給されたクロック信号に基づいて現在時刻を計時し、計時した現在時刻を表示装置５４０に表示させるようにモータ駆動回路５２６を制御する。このとき、演算部５２５は、現在時刻の時に対応する方向を第１の指針１２１に指示させ、現在時刻の分に対応する方向を第２の指針１２２に指示させ、現在時刻の秒に対応する方向を秒針１２３に指示させるようにモータ駆動回路５２６を制御する。
【００８２】
また、演算部５２５は、上述の情報表示モードにおいて、計測部５２４から出力された計測値を表示装置５４０に表示させるようにモータ駆動回路５２６を制御する。また、上述の情報表示モードにおいて表示される情報に、電子時計１００が外部の通信装置から受信した情報が含まれる場合に、演算部５２５は、後述の通信部５５０から出力された情報を表示装置５４０に表示させるようにモータ駆動回路５２６を制御してもよい。
【００８３】
モータ駆動回路５２６は、演算部５２５からの制御に応じて、後述する駆動機構５３０に含まれるモータを駆動する駆動信号を出力する。これにより、たとえば制御回路５２０によって計時された現在時刻や、計測部５２４によって得られた各計測値が表示装置５４０により表示される。
【００８４】
駆動機構５３０は、上述したモータ駆動回路５２６から出力される駆動信号に応じて動作するステップモータや輪列を含み、ステップモータの回転を輪列が伝達することによって、表示装置５４０に含まれる指針を回転させる。図３，図４に示した第１の指針１２１および第２の指針１２２の各駆動機構は駆動機構５３０に含まれる。たとえば、図３，図４に示したステップモータ３１１は、モータ駆動回路５２６からの駆動信号によりロータ３１１ａを回転させる。また、図３，図４に示したステップモータ３２１は、モータ駆動回路５２６からの駆動信号によりロータ３２１ａを回転させる。
【００８５】
表示装置５４０は、たとえば、図１に示した文字板１１０、第１の指針１２１、第２の指針１２２、秒針１２３およびサブ指針１４０を含む。表示装置５４０に含まれる各指針が文字板１１０上を回転することにより、各情報が表示される。
【００８６】
通信部５５０は、電子時計１００の外部の通信装置との通信を行う。通信部５５０は、たとえばＢｌｕｅｔｏｏｔｈ（登録商標）やＷｉ−Ｆｉ（登録商標）などの無線通信を外部の通信装置との間で行う。または、通信部５５０は、ＵＳＢ（Ｕｎｉｖｅｒｓａｌ  Ｓｅｒｉａｌ  Ｂｕｓ）ケーブルなどの有線接続による通信を外部の通信装置との間で行ってもよい。外部の通信装置は、たとえばパーソナルコンピュータやスマートフォンなどの情報端末であってもよいし、各種のネットワークを介して電子時計１００と通信可能なサーバ等であってもよい。
【００８７】
通信部５５０は、たとえば演算部５２５からの制御により外部の通信装置から受信した情報を演算部５２５へ出力する。通信部５５０が外部の通信装置から受信する情報は、たとえば、天気予報等の気象情報、外部の通信装置に登録されたユーザのスケジュール情報など、外部の通信装置から受信可能な各種の情報とすることができる。
【００８８】
操作部１３０は、ユーザによる操作を受け付けて、その操作内容を制御回路５２０に対して出力する。制御回路５２０は、操作部１３０が受け付けた操作入力の内容に応じて各種の処理を実行する。操作部１３０には、たとえば図１に示した第１プッシュボタン１３１、第２プッシュボタン１３２およびリューズ１３３などが含まれる。
【００８９】
たとえば、制御回路５２０の演算部５２５は、操作部１３０に含まれる第１プッシュボタン１３１がプッシュされるごとに、上述の時刻表示モードや情報表示モードなどの動作モードを順次切り替える。
【００９０】
（実施の形態にかかる電子時計の外観の他の例）
図６は、実施の形態にかかる電子時計の外観の他の一例を示す図である。図６において、図１に示した部分と同様の部分については同一の符号を付して説明を省略する。図６に示すように、第１の指針１２１は、第１の指示部２１２（図２参照）を含まなくてもよい。この場合に、第１の指針１２１は、回転軸２０１から離れるほど細くなるテーパ形状部により構成される。
【００９１】
同様に、第２の指針１２２は、第２の指示部２２２（図２参照）を含まなくてもよい。この場合に、第２の指針１２２は、回転軸２０１から離れるほど細くなるテーパ形状部により構成される。このような構成においても、上述のように、電子時計１００における部品の種類数を減らして製造コストを低減しつつ、第１の指針１２１および第２の指針１２２のユーザによる区別が困難になることを抑制することができる。
【００９２】
図７は、実施の形態にかかる電子時計の外観の他の一例を示す図である。図７において、図１に示した部分と同様の部分については同一の符号を付して説明を省略する。図７に示すように、秒針１２３の慣性モーメントが、第１の指針１２１および第２の指針１２２の慣性モーメントと同じになるように秒針１２３を形成してもよい。たとえば、秒針１２３の長さを、第１の指針１２１および第２の指針１２２と同じにしてもよい。
【００９３】
これにより、第１の指針１２１の駆動機構と、第２の指針１２２の駆動機構と、秒針１２３の駆動機構と、に同じ仕様の部品を用いることが可能になる。このため、電子時計１００における部品の種類数をさらに減らすことが可能になり、電子時計１００の製造コストの抑制を図ることができる。
【００９４】
そして、秒針１２３に対して、秒針１２３が現在時刻の秒を表示するための秒針であるとユーザが把握できるように指針を描く。たとえば、図７に示すように、秒針１２３に対して、秒針１２３の長手方向の直線であって、時針２１１や分針２２１より細い直線を着色等により描くことにより指針を描くことができる。これにより、秒針１２３の慣性モーメントが第２の指針１２２の慣性モーメントと同じになるように秒針１２３を形成しても、ユーザは秒針１２３が秒針であることを把握することができる。
【００９５】
図７に示した構成において、たとえば第１の指針１２１の慣性モーメントが、第２の指針１２２および秒針１２３の慣性モーメントと異なるように第１の指針１２１を形成してもよい。たとえば、第１の指針１２１を、第２の指針１２２および秒針１２３より短い指針としてもよい。この場合に、ユーザは、第１の指針１２１の長さによって、第１の指針１２１が時針であると把握することができる。このような構成においては、第１の指針１２１には時針２１１が描かれていなくてもよい。
【００９６】
この場合に、回転軸および慣性モーメントが同じであり配色が異なる第１の指針および第２の指針は、それぞれ第２の指針１２２および秒針１２３とすることができる。この場合は、第１の指針（第２の指針１２２）の回転を制御することによって表示される第１の情報は現在時刻の分である。また、第２の指針（秒針１２３）の回転を制御することによって表示される第２の情報は現在時刻の秒である。
【００９７】
また、図７に示した構成において、図６に示した例のように第１の指針１２１および第２の指針１２２がそれぞれ第１の指示部２１２および第２の指示部２２２を含まず、同様に秒針１２３も矢尻形状の指示部を含まない構成としてもよい。
【００９８】
図８は、実施の形態にかかる電子時計の外観の他の一例を示す図である。図８において、図１に示した部分と同様の部分については同一の符号を付して説明を省略する。図８に示すように、第１の指針１２１には、第１の指針１２１より短い時針２１１が描かれていなくてもよい。同様に、第２の指針１２２には、第２の指針１２２より短い分針２２１が描かれていなくてもよい。
【００９９】
図８に示す例では、第１の指針１２１のうちユーザから視認される部分（たとえばおもて面）の全体が１つの色（一例としては赤色）に着色されている。また、第２の指針１２２のうちユーザから視認される部分（たとえばおもて面）の全体が、第１の指針１２１の色とは異なる１つの色（一例としては青色）に着色されている。
【０１００】
このような構成においても、ユーザは、たとえば赤色が時針、青色が分針と覚えておくことにより、第１の指針１２１および第２の指針１２２をそれぞれ区別することができる。これにより、ユーザは、第１の指針１２１から現在時刻の時を把握し、第２の指針１２２から現在時刻の分を把握することができる。
【０１０１】
図８に示した例のように、第１の指針１２１および第２の指針１２２の配色を異ならせることにより、第１の指針１２１および第２の指針１２２にそれぞれ時針２１１および分針２２１を描かなくても、ユーザが第１の指針１２１および第２の指針１２２をそれぞれ区別することができる。
【０１０２】
図８に示した構成において、図６に示した例のように、第１の指針１２１および第２の指針１２２がそれぞれ第１の指示部２１２および第２の指示部２２２（図２参照）を含まない構成としてもよい。また、図８に示した構成において、図７に示した例のように、秒針１２３の慣性モーメントが、たとえば第２の指針１２２の慣性モーメントと同じになる構成としてもよい。
【０１０３】
図１，図６〜図８に示した電子時計１００においては、たとえば第１の指針１２１および第２の指針１２２が同じ長さである場合について説明したが、第１の指針１２１および第２の指針１２２を同じ形状（大きさも含む）としてもよい。この場合は、第１の指針１２１および第２の指針１２２の慣性モーメントが同じになるとともに、第１の指針１２１および第２の指針１２２に同じ仕様の指針を用いることができる。
【０１０４】
このため、電子時計１００における部品の種類数をさらに減らすことが可能になり、電子時計１００の製造コストの抑制を図ることができる。また、第１の指針１２１および第２の指針１２２を同じ形状とする構成においても、上述のように第１の指針１２１および第２の指針１２２の配色を異ならせることにより、ユーザが第１の指針１２１および第２の指針１２２をそれぞれ区別することができる。
【０１０５】
図１，図６〜図８に示した電子時計１００においては、回転軸および慣性モーメントが同じであり配色が異なる第１の指針および第２の指針の例として、第１の指針１２１および第２の指針１２２の組み合わせや、第２の指針１２２および秒針１２３の組み合わせについて説明したが、第１の指針および第２の指針はこれに限らない。
【０１０６】
たとえば、サブ指針１４０と回転軸および慣性モーメントが同じである第２のサブ指針を電子時計１００に設け、サブ指針１４０を第１の指針、第２のサブ指針を第２の指針としてもよい。この場合は、サブ指針１４０の駆動機構と、第２のサブ指針の駆動機構と、に同じ仕様の部品を用いることが可能になり、電子時計１００の製造コストを低減することができる。また、サブ指針１４０と第２のサブ指針の配色を異ならせることにより、サブ指針１４０および第２のサブ指針の区別が困難になることを抑制することができる。
【０１０７】
このように、実施の形態にかかる電子時計は、回転軸が同じでありそれぞれ第１の情報および第２の情報を表示するための第１の指針および第２の指針の慣性モーメントを同じにすることにより、第１の指針の駆動機構と、第２の指針の駆動機構と、に同じ仕様の部品を用いることが可能になる。このため、電子時計における部品の種類数を減らして製造コストを低減することができる。
【０１０８】
また、第１の指針および第２の指針の配色を異ならせることにより、第１の指針および第２の指針の慣性モーメントを同じにしても、ユーザが第１の指針および第２の指針を容易に区別することができる。このため、ユーザは、第１の指針および第２の指針によってそれぞれ第１の情報および第２の情報を区別して把握することができる。したがって、実施の形態にかかる電子時計によれば、情報の視認性の低下を抑制しつつ製造コストを低減することができる。
【０１０９】
以上説明したように、この発明にかかる電子時計によれば、情報の視認性の低下を抑制しつつ製造コストを低減することができる。
【産業上の利用可能性】
【０１１０】
以上のように、この発明にかかる電子時計は、回転軸が同じでありそれぞれ異なる情報を表示するための第１の指針および第２の指針を有する電子時計に有用であり、特に、時針および分針を有する電子時計に適している。
【符号の説明】
【０１１１】
１００  電子時計
１１０  文字板
１２１  第１の指針
１２２  第２の指針
１２３  秒針
１３０  操作部
１３１  第１プッシュボタン
１３２  第２プッシュボタン
１３３  リューズ
１４０  サブ指針
１５０  目盛
１６１〜１６３  モードマーク
２０１  回転軸
２１１  時針
２１２  第１の指示部
２１３，２２３  中間部
２２１  分針
２２２  第２の指示部
３１１  ステップモータ（第１のモータ）
３１１ａ，３２１ａ  ロータ
３１２〜３１５  歯車（第１の輪列）
３１６，３２６  筒車
３２１  ステップモータ（第２のモータ）
３２２〜３２５  歯車（第２の輪列）
【図１】
2020063919.tif 000003
【図２】
2020063919.tif 000004
【図３】
2020063919.tif 000005
【図４】
2020063919.tif 000006
【図５】
2020063919.tif 000007
【図６】
2020063919.tif 000008
【図７】
2020063919.tif 000009
【図８】
2020063919.tif 000010